(57)【要約】【課題】ソーラー屋根材の葺設部に隣接して葺設される一般屋根材の形状、厚み等を自由に選択可能できる屋根材の葺設構造を提供することを目的としている。【解決手段】太陽電池モジュールを備えたソーラー屋根材が葺設されたソーラー屋根材葺設部と、一般屋根材が葺設された一般屋根材葺設部とが、屋根の同一勾配面に隣接して設けられた屋根材の葺設構造であって、前記ソーラー屋根材葺設部の縁部に沿うように捨て水切りが配置され、前記一般屋根材葺設部は、捨て水切り側端部に配置される一般屋根材が、前記捨て水切りと重なるように葺設されていることを特徴としている。【選択図】図３
2011038285.tif 000002
【特許請求の範囲】
【請求項１】
太陽電池モジュールを備えたソーラー屋根材が葺設されたソーラー屋根材葺設部と、一般屋根材が葺設された一般屋根材葺設部とが、屋根の同一勾配面に隣接して設けられた屋根材の葺設構造であって、
前記ソーラー屋根材葺設部の縁部に沿うように捨て水切りが配置され、
前記一般屋根材葺設部は、捨て水切り側端部に配置される一般屋根材が、前記捨て水切りと重なるように葺設されていることを特徴とする屋根材の葺設構造。
【請求項２】
ソーラー屋根材葺設部の捨て水切り側端部が、捨て水切り端部に重ね合わさるまたは捨て水切りの一部を構成するソーラー屋根材用カバー材によって水密に上方から覆われている請求項１に記載の屋根材の葺設構造。
【請求項３】
一般屋根材と捨て水切りとの間で面戸が挟着されている請求項１または請求項２に記載の屋根材の葺設構造。
【請求項４】
一般屋根材葺設部の捨て水切り側端部の、捨て水切りと一般屋根材との隙間が一般屋根材用カバー材によってソーラー屋根材葺設部側から隠蔽されている請求項１〜請求項３のいずれかに記載の屋根材の葺設構造。
【発明の詳細な説明】
【技術分野】
【０００１】
本発明は、太陽電池モジュールを備えたソーラー屋根材の葺設部と一般屋根材の葺設部とを野地板の同一勾配面に備えた屋根の屋根材の葺設構造に関する。
【背景技術】
【０００２】
地球温暖化問題を解消するために、ＣＯ２を排出しないクリーンなエネルギーとして太陽光発電が着目されている。
そして、この太陽光発電に用いられる太陽光発電ユニットを搭載した屋根材（以下、「ソーラー屋根材」と記す）が提案されている（特許文献１，２参照）。
すなわち、図１７に示すように、上記ソーラー屋根材１００は、野地板（図示せず）の上に太陽光発電ユニットを搭載していない一般屋根材２００を葺設する場合と同じ要領で、野地板の上に葺設すれば、太陽電池ユニットを屋根に設置することができる。したがって、野地板の上に葺設された一般屋根材２００の上に、更に太陽電池ユニットを設置するという従来の作業に比べて、太陽電池ユニットの設置作業の能率が向上する。また、ソーラー屋根材１００の敷設スペースの分だけ一般屋根材２００が不要となり、屋根が軽量化される。結果として耐震性能が向上するとともに、一般屋根材２００の材料費の面でも有利となる。
【先行技術文献】
【特許文献】
【０００３】
【特許文献１】特開平１１−１０７４５３号公報
【特許文献２】特開平２００５−７６３４０号公報
【発明の概要】
【発明が解決しようとする課題】
【０００４】
しかしながら、ソーラー屋根材を用いた従来の葺設構造では、ソーラー屋根材の葺設部に隣接して葺設される一般屋根材をソーラー屋根材と同一外形とするなど、寸法や意匠に制限があった。
【０００５】
本発明は、上記事情に鑑みて、ソーラー屋根材の葺設部に隣接して葺設される一般屋根材の形状、厚み等を自由に選択可能できる屋根材の葺設構造を提供することを目的としている。
【課題を解決するための手段】
【０００６】
上記目的を達成するために、本発明にかかる屋根材の葺設構造は、太陽電池モジュールを備えたソーラー屋根材が葺設されたソーラー屋根材葺設部と、一般屋根材が葺設された一般屋根材葺設部とが、屋根の同一勾配面に隣接して設けられた屋根材の葺設構造であって、前記ソーラー屋根材葺設部の縁部に沿うように捨て水切りが配置され、前記一般屋根材葺設部は、捨て水切り側端部に配置される一般屋根材が、前記捨て水切りと重なるように葺設されていることを特徴としている。
【０００７】
本発明において、一般屋根材の材質は、特に限定されず、例えば、金属瓦、厚型スレート、セメント瓦、ガラス瓦、石瓦などが挙げられる。
捨て水切りは、ソーラー屋根材葺設部の勾配方向の縁に沿って設けられていればよいが、ソーラー屋根材葺設部の上側にも一般屋根材葺設部が設けられている場合は、ソーラー屋根材葺設部の上縁にそっても勾配方向に設けた捨て水切りに連続するように捨て水切りを設けることが好ましい。
【０００８】
また、本発明においては、特に限定されないが、ソーラー屋根材葺設部の捨て水切り側端部が、捨て水切り端部に重ね合わさるまたは捨て水切りの一部を構成するソーラー屋根材用カバー材によって水密に上方から覆われている構成、一般屋根材と捨て水切りとの間で面戸が挟着されている構成、一般屋根材葺設部の捨て水切り側端部の、捨て水切りと一般屋根材との隙間が一般屋根材用カバー材によってソーラー屋根材葺設部側から隠蔽されている構成としてもよい。
なお、上記捨て水切り、ソーラー屋根材用カバー材、一般屋根材用カバー材としては、特に限定されないが、例えば、金属、合成樹脂が挙げられ、メッキ鋼板、ステンレス鋼板等を板金加工したものが好ましい。
【発明の効果】
【０００９】
本発明にかかる屋根材の葺設構造は、太陽電池モジュールを備えたソーラー屋根材が葺設されたソーラー屋根材葺設部と、一般屋根材が葺設された一般屋根材葺設部とが、屋根の同一勾配面に隣接して設けられた屋根材の葺設構造であって、前記ソーラー屋根材葺設部の縁部に沿うように捨て水切りが配置され、前記一般屋根材葺設部は、捨て水切り側端部に配置される一般屋根材が、前記捨て水切りと重なるように葺設されているので、捨て水切りによってソーラー屋根材葺設部と、一般屋根材葺設部との間が一旦縁切りされる。
したがって、一般屋根材は、その外形や厚み等に制限がなくなる。すなわち、一般屋根材を自由に選択できるので、屋根の意匠性を向上させることができる。
【図面の簡単な説明】
【００１０】
【図１】本発明にかかる屋根材の葺設構造の１つの実施の形態であって、その１つの屋根勾配面のソーラー屋根材と一般屋根材の葺設状態を説明する模式図である。
【図２】図１のソーラー屋根材葺設部の断面図である。
【図３】図１のソーラー屋根材葺設部と一般屋根材葺設部との境界部分を軒先側からみた断面図である。
【図４】図１の葺設構造の側方カバー材の装着方法を説明する要部斜視図である。
【図５】図１の葺設構造の側方カバー材、コーナーカバー材及び上段カバー材の装着方法を説明する施工途中の状態を示す図である。
【図６】図１の葺設構造の側方カバー材、コーナーカバー材及び上段カバー材の装着完了状態を説明する図である。
【図７】図１の葺設構造に用いられる側方カバー材の斜視図である。
【図８】図７のＸ−Ｘ線断面図である。
【図９】図７の側方カバー材の面戸部を側方からみた断面図である。
【図１０】図１の葺設構造に用いられるコーナーカバー材の斜視図である。
【図１１】図１の葺設構造に用いられる上段カバー材の側面図である。
【図１２】本発明にかかる屋根材の葺設構造の他の実施の形態であって、その１つの屋根勾配面のソーラー屋根材と一般屋根材の葺設状態を説明する模式図である。
【図１３】図１２の葺設構造を軒先側からみた要部斜視図である。
【図１４】図１３の葺設構造に用いられる側方カバー材の斜視図である。
【図１５】図１４のＹ−Ｙ線断面図である。
【図１６】図１２の葺設構造に用いられるコーナーカバー材の斜視図である。
【図１７】従来のソーラー屋根材と一般屋根材との葺設構造を説明する図である。
【発明を実施するための形態】
【００１１】
以下に、本発明を、その実施の形態をあらわす図面を参照しつつ詳しく説明する。
図１は、本発明にかかる屋根材の葺設構造を備えた屋根の１つの実施の形態をあらわしている。
【００１２】
図１に示すように、この屋根Ａは、寄棟構造となっていて、１つの屋根勾配面Ａ１にソーラー屋根材葺設部１ａと、一般屋根材葺設部２ａとを備え、ソーラー屋根材葺設部１ａと、一般屋根材葺設部２ａとの境界に沿って捨て水切り３ａが設けられている。
すなわち、ソーラー屋根材葺設部１ａは、図２に示すような太陽電池モジュールを搭載した板状をしたソーラー屋根材（例えば、積水化学工業株式会社の商品名「BrookソーラーＨ」）１１が勾配面の中央部に、図２に示すように、従来と同様の方法によって下側のソーラー屋根材１１の上端部を、押え金具４１を介して野地板４に固定する一方、上側のソーラー屋根材１１の下端部を、下側のソーラー屋根材１１の上端部の上方から重なるように野地板４上に軒先側から棟側に向かってつぎつぎに葺設される。
【００１３】
また、屋根勾配面Ａ１は、図３〜図６に示すように、ソーラー屋根材葺設部１ａに沿って、野地板４上に、捨て水切り３ａの一部を構成する勾配用の捨て水切り材３１が棟側から軒側にまで敷設されている。
捨て水切り材３１は、野地板４に沿うように配置される板状本体部３１ａと、板状本体部３１ａのソーラー屋根材葺設部１ａ側で立ち上がる第１立ち上がり部３１ｂと、板状本体部３１ａの他側で立ち上がる第２立ち上がり部３１ｃとを備えている。
【００１４】
第１立ち上がり部３１ｂは、図３に示すように、第２立ち上がり部３１ｃより高く立ち上がるとともに、その上端で板状本体部３１ａ側に折り曲げ加工されている。
【００１５】
また、ソーラー屋根材葺設部１ａの外縁部に配置されたソーラー屋根材１１は、図６に示すように、その側縁部あるいは上縁部が板金加工によって得られたソーラー屋根材用カバー材としての側方カバー材５ａ、コーナーカバー材６ａ及び上段カバー材７のいずれかによって止水状態で覆われている。
側方カバー材５ａは、図７及び図８に示すように、カバー材本体部５１と、捨て水切り材係合部５２と、面戸部５３と、ソーラー屋根材係止部５４とを備えている。
【００１６】
カバー材本体部５１は、ソーラー屋根材１１の側縁と捨て水切り材３１との略三角形の隙間Ｓを覆うとともに、ソーラー屋根材１１の側縁部及び捨て水切り材３１の第１立ち上がり部３１ｂ上方を覆う大きさの平面視略直角三角形をしている。
捨て水切り材係合部５２は、図８に示すように、カバー材本体部５１の三角形の斜辺部分に対して直交するように折り曲げ形成されている。
【００１７】
面戸部５３は、図９に示すように、カバー材本体部５１の軒側に設けられ、その中間部が、断面Ｌ字形をしている。
ソーラー屋根材係止部５４は、軒側端近傍から、上側の側方カバー材５ａとの重なり部近傍までカバー材本体部５１のソーラー屋根材側端縁に沿って設けられていて、図８に示すように、カバー材本体部５１の端縁から少し下方に折れ曲がるように形成されている。
【００１８】
コーナーカバー材６ａは、図１０に示すように、カバー材本体部６１と、水切り部６２とを備えている。
カバー材本体部６１は、平面視略台形をしていて軒側が側方カバー材５ａ及びソーラー屋根材１１の上に被さる高さをしている。
水切り部６２は、水切り傾斜部６２ａと、水切り水平部６２ｂとを有し、水切り傾斜部６２ａの下端が捨て水切り材３１の上面内側に嵌合して捨て水切り３ａの一部を構成するようになっている。
【００１９】
上段カバー材７は、図１１に示すように、カバー材本体部７１と、水切り部７２とを備えている。
カバー材本体部７１は、ソーラー屋根材１１の上に被さる高さをしている。
水切り部７２は、コーナーカバー材６ａの水切り水平部６２ｂに嵌り込むようになっており、水切り部７２が水切り水平部６２ｂに嵌り込むことにより、コーナーカバー材６ａの一端と上段カバー材７の一端とが重なり合うようになっている。
【００２０】
つぎに、屋根勾配面Ａの屋根材の葺設方法を説明する。
（１）図示していないが、事前に屋根勾配面Ａの所定の位置（オフセットライン内側）で割付けしたソーラー屋根材１１に合せ、屋根勾配面Ａの軒先部分にソーラー屋根材１１用軒先水切りを取り付ける。
（２）図示していないが、オフセットライン近傍に捨て水切り材３１を仮置きし、オフセットライン外側へ施工する一般屋根材２１に合せ、屋根勾配面Ａの軒先部分に一般屋根材用軒先水切りを、捨て水切り材３１の下でソーラー屋根材１１用軒先水切りと重ね合わさるように加工して取り付ける。
（３）野地板４上にソーラー屋根材１１及び一般屋根材２１の葺設部に墨打ちをする。
（４）墨打ちした部分にソーラー屋根材１１を図２に示すようにして軒先側から順に葺いていき、図１に示すようなソーラー屋根材葺設部１ａを形成する。
（５）捨て水切り材３１を図５に示すように、最上段のソーラー屋根材１１より少し棟側（上方）の位置から軒先までソーラー屋根材葺設部１ａに沿って取り付ける。
（６）捨て水切り材３１の第１立ち上がり部３１ｂの上端部に沿って、図３に示すように、例えば、ＥＰＤＭ（エチレン−プロピレン−ジエン共重合体）等の弾性水密材（面戸）８を貼り付ける。
（７）図示していないが、最下段（最も軒先側）のソーラー屋根材１１と捨て水切り材３１との隙間部分の軒先側の野地板上に最下段のソーラー屋根材１１の軒先側を所定の高さで固定するための軒先金物を取り付けるとともに、その棟側に発泡樹脂断熱材（例えば、ダウ化工株式会社の商品名「スタイロフォーム」）からなるアンダーマットを載置する。
アンダーマットは、後述のように側方カバー材５ａが装着されたとき、側方カバー材５ａ裏面側と野地板４との間の空間を充填するよう所定の大きさと厚みで形成されている。
（８）側方カバー材５ａのカバー材本体部５１の裏面側（野地板側）の、ソーラー屋根材係止部５４に沿った部分にＥＰＤＭ等の弾性水密材８を貼り付ける。
（９）上記軒先金物のソーラー屋根材１１が載置されていない部分と上記アンダーマットを隠すように、最下段のソーラー屋根材１１と、捨て水切り材３１との隙間部分をカバー材本体部５１で覆った状態となるように最下段の側方カバー材５ａを装着する。
側方カバー材５ａは、この装着によって、ソーラー屋根材係止部５４がソーラー屋根材１１のフレームから少し太陽電池モジュール側に入った部分まで被さり、捨て水切り材係合部５２が第１立ち上がり部３１ｂとの間で弾性水密材８を挟み込んだ状態に配置される。
また、側方カバー材５ａは、カバー本体部５１の上端側に設けられた固定座５１ａがタッピングねじ（図示せず）によって野地板４に固定される。
（１０）２段目のソーラー屋根材１１と、捨て水切り材３１との隙間部分の野地板４上に上記と同様に所定の大きさと厚みのアンダーマットを載置する。
（１１）上記アンダーマットを隠すように、二段目のソーラー屋根材１１と、捨て水切り材３１との隙間部分をカバー本体部５１で覆った状態となるように二段目の側方カバー材５ａを最下段の側方カバー材５ａと同様にして装着する。
なお、この装着状態で、二段目の側方カバー材５ａの面戸部５３は、最下段の側方カバー材５ａの上端部及び最下段のソーラー屋根材１１の上側フレーム上に載った状態に配置される。
（１２）側方カバー材５ａが最上段のソーラー屋根材１１に装着されるまで、上記（１０）及び（１１）の作業を繰り返し行う。
なお、上記（７）〜（１２）の作業は、ソーラー屋根材葺設部１ａの水平方向両端縁にそって同様にして行う。ただし、側方カバー５ａは、ソーラー屋根材葺設部１ａの水平方向左右で対称形状となっている。
（１３）全ての側方カバー材５ａが装着完了したのち、図３に示すように、各側方カバー材５ａのソーラー屋根材係止部５４から第１立ち上がり部３１ｂに向かって板金ビス５５をねじ込み、弾性水密材８がソーラー屋根材係止部５４と第１立ち上がり部３１ｂの壁面にしっかりと密着させる。なお、板金ビス５５の数は、特に限定されないが、各側方カバー材５ａごとに２本ずつ程度でよい。
（１４）上段カバー材７を、図５に示すように、カバー材本体部７１が最上段のソーラー屋根材１１の上端部に被さるとともに、隣接する上段カバー材７と一部が重なるように装着する。なお、この装着時には、図示していないが、カバー材本体部７１の最上段のソーラー屋根材１１に対面する部分には、ＥＰＤＭ等の弾性水密材を貼着しておく。また、上段カバー材７と、上段カバー材７との重なり部はコーキング材等により止水する。
（１５）コーナーカバー材６ａを、その水切り部６２の水切り傾斜部６２ａが捨て水切り材３１の最上段のソーラー屋根材１１に上端部よりはみ出た部分にはまり込むとともに、上段カバー材７の水切り部７２の端部にはまり込むとともに、カバー材本体部６１が最上段の側方カバー材５ａの上端部及び最上段のソーラー屋根材１１の上面に被さるように装着する。なお、この装着時には、図示していないが、カバー材本体部６１の側方カバー材５ａの上端部及び最上段のソーラー屋根材１１に対面する部分には、ＥＰＤＭ等の弾性水密材８を貼着しておく。また、コーナーカバー材６ａと捨て水切り材３１との重なり部、及びコーナーカバー材６ａと上段カバー材７との重なり部はコーキング材等により止水する。
（１６）捨て水切り材３１、コーナーカバー材６ａの水切り部６２及び上段カバー材７の水切り部７２によって形成された捨て水切り３ａの一般屋根材２１が重ね合わされる部分に沿って一般屋根材葺設部２ａを形成する一般屋根材２１の厚みに応じた面戸としての弾性水密材８を貼着する。
（１７）一般屋根材葺設部２ａとなる部分に、図１に示すように、上記通常の屋根材の葺設方法に沿って葺設する。
【００２１】
このようにして得られる屋根材の葺設構造によれば、上記のようにソーラー屋根材葺設部１ａと、一般屋根材葺設部２ａとが捨て水切り３ａによって一旦縁切りされているので、一般屋根材２１は、自由に選択できる。したがって、屋根の意匠を好みのものにすることができる。
【００２２】
図１２及び図１３は、本発明にかかる屋根材の葺設構造を備えた屋根の他の実施の形態をあらわしている。
図１２に示すように、この屋根Ｂは、切妻構造となっていて、１つの屋根勾配面Ｂ１にソーラー屋根材葺設部１ｂと、一般屋根材葺設部２ｂとを備え、図１２に示すように、ソーラー屋根材葺設部１ｂと、一般屋根材葺設部２ｂとの境界に沿って捨て水切り３ｂが設けられている。
すなわち、ソーラー屋根材葺設部１ｂは、上記のソーラー屋根材葺設部１ａと同様にして、ソーラー屋根材１１が勾配面の中央部に葺設され、水平方向の端縁が、軒先の縁に対して直角に配置されている。
【００２３】
ソーラー屋根材葺設部１ｂに沿って、野地板４上には、図１３に示すように、捨て水切り３ｂの一部を構成する勾配用の捨て水切り材３１が棟側から軒側にまで軒先縁に対して垂直に敷設されている。
【００２４】
また、ソーラー屋根材葺設部１ｂの外縁部に配置されたソーラー屋根材１１は、上記ソーラー屋根材葺設部１ａと同様に、その側縁部あるいは上縁部が板金加工によって得られた図１４及び図１５に示す側方カバー材５ｂ、図１６に示すコーナーカバー材６ｂ及び上記上段カバー材７のいずれかによって止水状態で覆われている。
側方カバー材５ｂは、図１４及び図１５に示すように、カバー材本体部５６と、捨て水切り材係合部５７と、面戸部５８と、ソーラー屋根材係止部５９とを備え、カバー材本体部５６が幅の狭い帯状になっている以外は、上記側方カバー材５ａと同様になっている。成されている。
【００２５】
コーナー用カバー材６ｂは、図１６に示すように、カバー材本体部６３と、水切り部６４とを備えている。
カバー材本体部６３は、平面視略四角形をしていて軒側が側方カバー材５ｂ及びソーラー屋根材１１の上に被さる高さをしている。
【００２６】
水切り部６４は、水切り垂直部６４ａと、水切り水平部６４ｂとを有し、水切り水平部６４ｂの下端が捨て水切り材３１の内側に嵌合して捨て水切り３ｂの一部を構成するようになっている。
【００２７】
そして、この屋根Ｂは、上記屋根Ａと同様にして一般屋根材２１が葺設されたのち、一般屋根材葺設部２ｂの水平方向の端縁部が、図１３に示すように、捨て水切り材３１との隙間をソーラー屋根材葺設部１ｂ側から隠蔽する一般屋根材用カバー材９によって上方から覆われている。
【００２８】
本発明は、上記の実施の形態に限定されない。例えば、上記の実施の形態では、寄棟の場合、ソーラー屋根材葺設部は、水平方向両側部が軒先に対して傾斜していたが、水平方向の片側を上記の切妻屋根の場合のように、軒先縁に対して直交させるようにしても構わない。
また、上記の実施の形態では、捨て水切り材３１と側方カバー材５ａ（５ｂ）とを別体に構成したが、側方カバー材５ａ，５ｂに水切り部を形成して、コーナーカバー材６ａ，６ｂの水切り傾斜部６２ａ，６４ａと一体に捨て水切りを構成するようにしてもよい。
【符号の説明】
【００２９】
Ａ，Ｂ  屋根
Ａ１，Ｂ１  屋根勾配面，
１ａ，１ｂ  ソーラー屋根材葺設部
１１  ソーラー屋根材
２ａ，２ｂ  一般屋根材葺設部
一般屋根材２１
３ａ，３ｂ  捨て水切り
４  野地板
５ａ，５ｂ  側方カバー材（ソーラー屋根材用カバー材）
６ａ，６ｂ  コーナーカバー材（ソーラー屋根材用カバー材）
７  上段カバー材（ソーラー屋根材用カバー材）
８  弾性水密材（面戸）
９  一般屋根材用カバー材
【図１】
2011038285.tif 000003
【図２】
2011038285.tif 000004
【図３】
2011038285.tif 000005
【図４】
2011038285.tif 000006
【図５】
2011038285.tif 000007
【図６】
2011038285.tif 000008
【図７】
2011038285.tif 000009
【図８】
2011038285.tif 000010
【図９】
2011038285.tif 000011
【図１０】
2011038285.tif 000012
【図１１】
2011038285.tif 000013
【図１２】
2011038285.tif 000014
【図１３】
2011038285.tif 000015
【図１４】
2011038285.tif 000016
【図１５】
2011038285.tif 000017
【図１６】
2011038285.tif 000018
【図１７】
2011038285.tif 000019